(57)【要約】【課題】  ＬＥＤ光源を中心として、光を取り出す開口部までの長軸方向の距離と短軸方向の距離の差が大きい場合でも、光の取り出し部位による輝度の差を抑制することが可能な光反射板、照明装置、ＬＥＤ照明装置、照明装置用の枠体およびＬＥＤ照明装置からの光取り出し方法を提供する。【解決手段】  ＬＥＤ光源１７と対向する外側枠体３の底面部９の中心近傍には、外側枠体３の長軸方向に向かって傾斜し、内側反射板１５の向かって突出する突出部７が形成されている。このため、ＬＥＤ光源１７から出射される光束の一部を、突出部７に反射させて、長軸方向の端部の側壁部１１に向けて反射させることができる。また、側壁部１１は、突出部７から側壁部１１に向けて反射された光を、側壁部１１の上端部の内周に形成された開口部１３に向けて光を反射することが可能なように、底面部９に対して傾斜面または曲面を有する。【選択図】図１
2018151458.tif 000002
【特許請求の範囲】
【請求項１】
底面部と、前記底面部の外周に形成された側壁部と、前記底面部との対向部に設けられる開口部と、を具備するマイクロ発泡樹脂からなる照明装置用の光反射板であって、
前記開口部は、互いに直交する長軸方向と短軸方向の長さが異なり、
前記底面部の長軸方向の中心近傍に、前記開口部に向かって突出する突出部が短軸方向に沿って連続して形成され、
前記側壁部は、前記突出部から前記側壁部に向けて反射された光を、前記側壁部の上端部の内周に形成された前記開口部に向けて光を反射することが可能なように、前記底面部に対して傾斜面または曲面を具備することを特徴とする光反射板。
【請求項２】
前記底面部には、前記突出部の傾斜角度より傾斜角度が小さく、さらに前記突出部に向かって上昇する平面状または曲面状の傾斜部が形成され、前記傾斜部は、前記底面部の長軸方向に所定長さで連続して形成されて、前記突出部に接続することを特徴とする請求項１に記載の光反射板。
【請求項３】
前記傾斜部の一部には、短軸方向に上方に向って膨らむ膨出部が長軸方向に沿って形成されていることを特徴とする請求項２記載の光反射板。
【請求項４】
請求項１から請求項３のいずれかに記載の光反射板から構成されることを特徴とする照明装置用の枠体。
【請求項５】
請求項１から請求項３のいずれかに記載の光反射板からなる外側枠体と、
前記外側枠体の前記開口部の一部に配置される、マイクロ発泡樹脂製の内側反射板と、
前記内側反射板の中心近傍に、前記開口部から視認できない位置に配置されるＬＥＤ光源と、
を具備し、
前記内側反射板と前記外側枠体は、相互に所定距離離間して配置され、
前記外側枠体と、前記内側反射板は、それぞれ、互いに直交する長軸方向と短軸方向の長さが異なり、前記内側反射板の長軸方向と、前記外側枠体の長軸方向と整合し、
前記ＬＥＤ光源は、短軸方向に沿って連続して形成された前記突出部と対向し、
前記内側反射板の裏面側と、前記外側枠体の表面側と、前記内側反射板の周囲の前記外側枠体の前記開口部によって囲まれた空間が、導光空間となり、
前記ＬＥＤ光源からの光が前記導光空間により導光されて、
前記内側反射板の周囲の前記外側枠体の前記開口部によって形成された光取り出し部から、光取り出しを行うことを特徴とするＬＥＤ照明装置。
【請求項６】
前記突出部は、前記底面部の長軸方向の略中央に、短軸方向に所定距離連続して形成されるか、あるいは前記底面部の長軸方向の略中央を短軸方向に横断するように形成されることを特徴とする請求項５に記載のＬＥＤ照明装置。
【請求項７】
前記底面部には、前記突出部に向かって長軸方向に傾斜する曲面状または平面状の傾斜部が前記突出部の下端部と連続するように、長軸方向に所定長さで形成されていることを特徴とする請求項５または請求項６のいずれかに記載のＬＥＤ照明装置。
【請求項８】
前記底面部の長軸方向の端部側の前記側壁部は、長軸方向に対して、前記傾斜部と逆向きになだらかに傾斜する第２の傾斜部であることを特徴とする請求項７に記載のＬＥＤ照明装置。
【請求項９】
前記傾斜部の傾斜面には、前記傾斜部の短軸方向に膨出する膨出部が長軸方向に沿って所定長さで形成されていることを特徴とする請求項７または請求項８のいずれかに記載のＬＥＤ照明装置。
【請求項１０】
前記外側枠体の前記側壁部と前記底面部の境界部には、前記底面部から前記光取り出し部に向けて光を反射するように徐々に曲がる曲線部が形成されていることを特徴とする請求項５から請求項９のいずれかに記載のＬＥＤ照明装置。
【請求項１１】
前記光取り出し部には、光透過部材が配置されることを特徴とする請求項５から請求項１０のいずれかに記載のＬＥＤ照明装置。
【請求項１２】
前記内側反射板により、底面部と側壁部を有する箱型形状の内側枠体が形成され、前記内側枠体の内部に収納空間が形成されていることを特徴とする請求項５から請求項１１のいずれかに記載のＬＥＤ照明装置。
【請求項１３】
底面部と側壁部とを有する箱型形状の内側枠部材の少なくとも裏面に、前記内側反射板が貼付けられたものであり、前記内側枠部材の内部に収納空間が形成されていることを特徴とする請求項５から請求項１１のいずれかに記載のＬＥＤ照明装置。
【請求項１４】
前記内側枠体の収納空間に内側枠部材が収納され、前記内側枠部材の内部に収納空間が形成されていることを特徴とする請求項１２記載のＬＥＤ照明装置。
【請求項１５】
前記内側枠体または前記内側枠部材の収納空間に収納ケースが形成されることを特徴とする請求項１２から請求項１４のいずれかに記載のＬＥＤ照明装置。
【請求項１６】
前記収納ケースには、スイッチまたは制御回路が収納されていることを特徴とする請求項１５に記載のＬＥＤ照明装置。
【請求項１７】
前記収納ケースに画像モニターまたはテレビ受像機が収納されることを特徴とする請求項１５に記載のＬＥＤ照明装置。
【請求項１８】
前記収納ケースが眼鏡ケースまたは財布入れであり、前記収納ケースには、前記内側反射板の前記開口部と略同一平面を形成するように形成されている蓋部材が設けられていることを特徴とする請求項１５に記載のＬＥＤ照明装置。
【請求項１９】
前記内側反射板または前記外側枠体のそれぞれの前記開口部の形状がともに略長方形、略長円形、略楕円形、略突レンズ形状、略菱形のいずれかであることを特徴とする請求項１２から請求項１８のいずれかに記載のＬＥＤ照明装置。
【請求項２０】
前記内側反射板および前記外側枠体の中心位置が略一致し、さらに前記光取り出し部は、前記内側反射板の外周に所定幅に形成されることを特徴とする請求項５から請求項１９のいずれかに記載のＬＥＤ照明装置。
【請求項２１】
前記マイクロ発泡樹脂は、ＰＥＴ樹脂、ＰＣ樹脂、難燃ＰＣ樹脂、アクリル系樹脂、難燃アクリル樹脂のいずれかからなることを特徴とする請求項５から請求項２０のいずれかに記載のＬＥＤ照明装置。
【請求項２２】
前記マイクロ発泡樹脂は、酸化アルミニウム標準板に対する光反射率が、全反射率が９５％以上、拡散反射率が９０％以上であることを特徴とする請求項５から請求項２１のいずれかに記載のＬＥＤ照明装置。
【請求項２３】
前記外側枠体は、前記開口部の外周部にフランジ部が形成されていて、前記フランジ部に前記光透過部材が接着されることを特徴とする請求項１１記載のＬＥＤ照明装置。
【請求項２４】
前記光取り出し部から視認できない位置に、前記内側反射板と前記外側枠体を繋ぐ透明樹脂製の突部または柱部が設けられることを特徴とする請求項５から請求項２３のいずれかに記載のＬＥＤ照明装置。
【請求項２５】
前記光透過部材は、アクリル樹脂、ＰＣ樹脂、硬質ガラスのいずれか、あるいはこれらの材料のいずれかに保護フィルムを設けたものであることを特徴とする請求項１１記載のＬＥＤ照明装置。
【請求項２６】
前記ＬＥＤ光源は、白色または昼白色の光源、あるいは赤、緑、青の着色光源のいずれかであることを特徴とする請求項５から請求項２５のいずれかに記載のＬＥＤ照明装置。
【請求項２７】
前記ＬＥＤ光源は、赤、緑、青の着色光源の切換え、または混合により発光色を制御することが可能であることを特徴とする請求項５から請求項２６のいずれかに記載のＬＥＤ照明装置。
【請求項２８】
前記ＬＥＤ照明装置が、携帯用照明装置、室内用照明装置、車輌用照明装置のいずれかであることを特徴とする請求項５から請求項２７のいずれかに記載のＬＥＤ照明装置。
【請求項２９】
マイクロ発泡樹脂製の内側枠体と、内側枠体の外部に配置される外側枠体とを具備し、
前記内側枠体と前記外側枠体は、一方に開口部を有し、側壁部と底面部から形成され、それぞれの前記開口部は、互いに直交する長軸方向と短軸方向の長さが異なり、さらに両者の長軸方向が整合し、
前記内側枠体と前記外側枠体は、相互に所定距離離間して配置され、
前記内側枠体の内部が収納空間であり、
前記内側枠体の前記底面部の裏面の中心であって、前記内側枠体の前記開口部から視認できない位置にＬＥＤ光源が配置され、
前記内側枠体の裏面側と、前記外側枠体の表面側と、前記内側枠体と前記外側枠体の前記開口部によって囲まれた空間が、導光空間を形成となり、
前記ＬＥＤ光源からの光が前記導光空間により導光されて、
前記内側枠体の前記開口部と前記外側枠体の前記開口部とによって形成された光取り出し部から、光取り出しを行うＬＥＤ照明装置において、
前記ＬＥＤ光源と対向する前記外側枠体の前記底面部の中心近傍に前記外側枠体の長軸方向に向かって傾斜し、前記内側枠体に向かって突出する突出部が短軸方向に沿って所定距離連続して形成されており、
前記ＬＥＤ光源から出射される光束の一部を、前記突出部に反射させて、長軸方向の端部の前記側壁部に向けて反射させることで、前記ＬＥＤ光源の近傍から取り出される光の光強度を弱め、長軸方向の端部の前記側壁部の内側の前記光取り出し部から取り出す光の光強度を増加させることを特徴とするＬＥＤ照明装置からの光取り出し方法。
【請求項３０】
前記外側枠体の前記底面部の長軸方向に前記突出部に向かって緩やかに傾斜角度を増大しながら上昇する傾斜部あるいは、前記突出部の傾斜角度より小さい所定角度の傾きを有する傾斜部が形成されていて、
前記ＬＥＤ光源から出射される光を前記傾斜部に反射させることで、さらに長軸方向端部の前記側壁部に反射させて、長軸方向端部の前記側壁部の内側の前記光取り出し部から取り出す光の光強度を増加させることで長軸方向の光強度を調整することを特徴とする請求項２９に記載のＬＥＤ照明装置からの光取り出し方法。
【請求項３１】
前記傾斜部の傾斜面には、前記傾斜部の短軸方向に上方に向かって膨出する膨出部が長軸方向に沿って所定長さで形成され、前記膨出部の両側の傾斜面で光を反射させて、長軸方向に沿って設けられた前記側壁部の内側の前記光取り出し部から取り出す光の光強度を強めることを特徴とする請求項３０に記載のＬＥＤ照明装置からの光取り出し方法。
【発明の詳細な説明】
【技術分野】
【０００１】
本発明は、長軸方向の長さと短軸方向の長さが大きく異なる場合においても、部位による輝度の差を抑制することが可能な光反射板、照明装置、ＬＥＤ照明装置、照明装置用の枠体およびＬＥＤ照明装置からの光取り出し方法に関するものである。
【背景技術】
【０００２】
省エネルギーおよび長寿命であることから、ＬＥＤ（Ｌｉｇｈｔ  Ｅｍｉｔｔｉｎｇ  Ｄｉｏｄｅ）照明が普及しており、ＬＥＤを用いた照明は数多く提案されている。これらの照明装置としては、照明装置の枠体の内部に、照明装置の照度向上や光拡散の目的で光反射板を配置し、光を拡散反射させて照射するものがある。
【０００３】
例えば、光を均一に取り出すことが可能なマイクロ発泡樹脂製のシートの内側枠体と外側枠体とからなる２重構造の照明のＬＥＤ照明装置およびＬＥＤ照明装置の光取り出し方法が提案されている（例えば特許文献１）。
【０００４】
特許文献１では、第１の導光空間と第２の導光空間から取り出される光が略均一である照明を得ることができる。特に、第２の導光空間からの光が繰り返し多重反射されることで平均化させて均一な光を取り出すことが可能になる。
【０００５】
また、指向性の強い点光源を用いた照明光源装置のケーシングとして用いられる箱組立体形成部材が提案されている（特許文献２）。
【０００６】
特許文献２では、光導通反射部の中央部が高光反射率に形成されており、点光源から放射される強い光を反射することが可能である。また、その反射光は、箱組立体内壁面及び光導通反射板によって多重反射する。外方光導通反射部には、円形の開孔が、光導通反射板を垂直に貫通するよう、所定間隔で形成され、開孔の孔径は中央光導通反射部から外方へ離れるに従って徐々に大きくなる。
【０００７】
特許文献２の中央光導通反射部の中央部の周辺部には小孔が設けられる。このため、中央光導通反射部の中央部の周辺部は、中央部に次いで光反射率が高くなる一方で、一部の光を透過させるように設計されている。特許文献２には、このように光導通反射板に貫通する小孔を設けることで、光透過率を制御して、均一な光を取り出すいわゆるフラッター技術が記載されている。
【０００８】
また、支持構造体の板状ベース領域から垂直に突出する少なくとも１つの固定位置決めピンを有し、基板が、固定位置決めピンに固定され且つベース領域に対して実質的に平行に延びる照明装置が提案されている（特許文献３）。
【０００９】
特許文献３では、反射手段が反射斜面を含み、反射斜面は、ベース領域及び／又は基板に対して傾斜するような角度で、ベース領域から基板に向かって延びる。また、基板は、反射斜面に支えられる。支持構造体の反射領域は、ベース領域に対して平行に衝突する光線をベース領域に対して垂直な方向へと偏向する。
【００１０】
また、薄型の略円筒状、略矩形状をした枠体の内面に、内枠体が装入され、枠体の開口部には、光拡散板が設けられ、光反射板の外周部から光取り出しを行う照明装置が提案されている（特許文献４）。
【００１１】
特許文献４では、光拡散板の前面には鏡が固定され、光拡散板の裏面の、鏡の裏面に対応する部位に反射板が固定される。また、ＬＥＤ光源は、円形あるいは正方形の底面の中心に配置される。ここで、この照明装置の内面は、拡散反射特性に優れるマイクロ発泡樹脂により形成されているので、照明装置の外周からは、比較的均一に光を取り出すことができる。
【００１２】
また、ディスプレイの光照射面の全域を均一な明るさで照明することが出来るバックライト装置が提案されている（特許文献５）。
【００１３】
特許文献５に係るバックライト装置は、ディスプレイの背面と対向すべき反射面と、該反射面の一側方に配置されて反射面に向けて光を放射するＬＥＤ光源とを具える。反射面は、ＬＥＤ光源から遠ざかるにつれてディスプレイ背面に接近する斜面領域を有する。斜面領域には、ＬＥＤ光源の光放射方向と平行であって且つディスプレイ背面と直交する、断面の形状が三角歯状の凹凸面が形成されており、該凹凸面の凹凸のピッチがＬＥＤ光源から遠ざかるにつれて小さくなっている。
【先行技術文献】
【特許文献】
【００１４】
【特許文献１】特開２０１５−１８４３５１号公報
【特許文献２】特開２０１０−１５３３７０号公報
【特許文献３】特表２０１３−５４５６６２号公報
【特許文献４】特開２０１７-０１６８５４号公報
【特許文献５】特開２００５−１２９４０９号公報
【発明の概要】
【発明が解決しようとする課題】
【００１５】
ここで、照明装置のＬＥＤ光源から開口部までの距離が全方向で略一定であれば、開口部の各部からは、略均一な光を取り出すことができる。しかし、照明装置の開口部の形状が、長軸方向とこれと直交する短軸方向の長さに差がある場合、光の導光距離の長い長軸方向の端部近傍の開口部からの光量が短軸方向の端部近傍の開口部からの光量よりも少なくなる場合がある。特に、ＬＥＤ光源から開口部までの距離差が増加すると、開口部の位置により、輝度に大きな差が生じる。
【００１６】
図１２（ａ）は、従来のＬＥＤ照明装置１００を示す平面図であり、図１２（ｂ）は、図１２（ａ）のＺ−Ｚ線断面図である。なお、図１２（ａ）は、内側反射板１１５および光透過部材１２７等の透視図である。また、各図において、ＬＥＤ光源１１７の配線や基板等は図示を省略する。
【００１７】
ＬＥＤ照明装置１００は、外側枠体１０３、内側反射板１１５、ＬＥＤ光源１１７、光透過部材１２７等から構成される。外側枠体１０３は、底面部１０９と底面部１０９の外周に起立する側壁部１１１とからなる。すなわち、外側枠体１０３は、底面部１０９と対向する面であって、側壁部１１１で囲まれた領域が開口部１１３となる凹形状である。
【００１８】
開口部１１３には内側反射板１１５が配置される。内側反射板１１５は、外側枠体１０３よりも小さく、開口部１１３の形状と略同様の形状である。また、内側反射板１１５と外側枠体１０３の中心位置はほぼ一致する。したがって、内側反射板１１５によって、外側枠体１０３の開口部１１３の一部が塞がれて、内側反射板１１５の外周部と外側枠体１０３の側壁部１１１との間に、開口部１１３が露出する。また、この開口部１１３を塞ぐように、光透過部材１２７が配置される。なお、内側反射板１１５は、例えば光透過部材１２７の下面に接合される。ここで、内側反射板は、Ｘ軸Ｙ軸に対して対称性を有する形状であれば、外側枠体１０３と同様の形状であることが望ましいが必ずしも同様の形成でなくても良い。
【００１９】
ここで、外側枠体１０３と内側反射板１１５は、ともに光反射特性に優れた例えばマイクロ発泡樹脂製である。マイクロ発泡樹脂製の光反射板を用いるため、極めて高い反射率を得ることができる。内側反射板１１５のほぼ中央に、外側枠体１０３の底面部１０９に向けてＬＥＤ光源１１７が配置される。ＬＥＤ光源１１７からの光は、外側枠体１０３と内側反射板１１５とで囲まれた導光空間１１９を導光して、開口部１１３から光透過部材１２７を介して外部に取り出される。
【００２０】
ここで、外側枠体１０３および内側反射板１１５は、一方の方向（図中Ｘ方向）に長く、これと直交する方向（図中Ｙ方向）に短い形状である。すなわち、外側枠体１０３および内側反射板１１５は、長軸方向と短軸方向の長さが大きく異なる。このため、ＬＥＤ光源１１７から開口部１１３までの距離が、開口部１１３の位置によって大きく変わる。例えば、ＬＥＤ光源１１７から長軸方向の端部近傍の開口部１１３までの距離は、ＬＥＤ光源１１７から短軸方向の端部近傍の開口部１１３までの距離よりも十分に大きい。
【００２１】
ＬＥＤ光源１１７から距離が離れた位置まで光を導光しようとすると、ＬＥＤ光源１１７からの光を、導光空間１１９内で数多く反射させて導光する必要がある（例えば、図１２（ｂ）の矢印Ｗ）。マイクロ発泡樹脂製の光反射板は、正反射方向への反射成分は大きいものの、拡散反射するため、反射回数が増えると、正反射方向の光成分が減少する。この結果、ＬＥＤ光源１１７から遠い位置においては、開口部１１３から取り出される光の量が減少する。したがって、開口部１１３の部位によって、輝度の差が生じることとなる。
【００２２】
このような距離の差がある場合には、ＬＥＤ光源１１７から開口部１１３までの導光空間１１９（底面部１０９など）の形状を曲面状にするなどの工夫することで、開口部１１３から取り出す光を略均一にすることができる。しかし、薄型のＬＥＤ照明装置１００においては、導光空間１１９の形状を自由に曲面状にすることができなないため、ＬＥＤ照明装置１００の長軸方向の端部から取り出される光の輝度と、短軸方向の端部から取り出される光の輝度とを均一にすることが困難となってきた。
【００２３】
例えば、特許文献１においても、照明装置の開口部の形状が長軸方向と短軸方向の長さの差が大きく異なる場合には、照明装置の開口部から取り出す光が多少不均一になる問題がある。
【００２４】
また、特許文献２におけるフラッターは、光を均一にするために一部の光を反射させ、一部を透過させるものであるため、フラッターから透過する光束の量が少なくなり、照明装置から取り出す光の輝度が低下する問題がある。また、特許文献２は、照明装置の光反射板の形状を制御することで、光取り出し部の長軸方向と短軸方向の光強度の異方性を解消するものではない。
【００２５】
また、特許文献３、特許文献４も、照明装置から取り出す光の輝度の均一化を計るものではない。また、特許文献３、特許文献４では、光源の近傍から光を取り出すものではなく、長軸方向と短軸方向のＬＥＤ光源からの距離の差が大きい場合に、照明装置の外周から取り出す光の均一化を計るものではない。このように、特許文献３、特許文献４でも、ＬＥＤ光源の近傍の光取り出し部から取出す光強度を弱め、ＬＥＤ光源から遠い光取り出し部から取出す光の強度を強めることで、照明装置の光取り出し部の輝度の異方性を解消することはできない。
【００２６】
また、特許文献５の発明は、ＬＥＤ光源から遠い領域の光を斜面領域と三角歯状の凹凸面により、開口部に向けて取り出すものである。したがって、ＬＥＤ光源の近傍の光取り出し部から取出す光強度を弱め、ＬＥＤ光源から遠い光取り出し部から取出す光の強度を強めることで、照明装置の光取り出し部の輝度の異方性を解消することはできない。また、特許文献４には、照明装置の中央に略円錐形状の凸部が形成されているが、この凸部は短軸方向に沿って連続的に形成された突出部でなく、ＬＥＤ光源から発光された光がＬＥＤ光源の発光面への反射を抑制するものであり、照明装置の輝度の異方性を解消するためのものではない。
【００２７】
本発明は、このような問題に鑑みてなされたもので、ＬＥＤ光源を中心として、光を取り出す開口部までの長軸方向の距離と短軸方向の距離の差が大きい場合でも、光の取り出し部位による輝度の差を抑制することが可能な光反射板、ＬＥＤ照明装置、照明装置用の枠体およびＬＥＤ照明装置からの光取り出し方法を提供することを目的とする。
【課題を解決するための手段】
【００２８】
前述した目的を達するために、第１の発明は、底面部と、前記底面部の外周に形成された側壁部と、前記底面部との対向部に設けられる開口部と、を具備するマイクロ発泡樹脂からなる照明装置用の光反射板であって、前記開口部は、互いに直交する長軸方向と短軸方向の長さが異なり、前記底面部の長軸方向の中心近傍に、前記開口部に向かって突出する突出部が短軸方向に沿って連続して形成され、前記側壁部は、前記突出部から前記側壁部に向けて反射された光を、前記側壁部の上端部の内周に形成された前記開口部に向けて光を反射することが可能なように、前記底面部に対して傾斜面または曲面を具備することを特徴とする光反射板である。
【００２９】
前記底面部には、前記突出部の傾斜角度より傾斜角度が小さく、さらに前記突出部に向かって上昇する平面状または曲面状の傾斜部が形成され、前記傾斜部は、前記底面部の長軸方向に所定長さで連続して形成されて、前記突出部に接続されてもよい。
【００３０】
前記傾斜部の一部には、短軸方向に上方に向かって膨らむ膨出部が長軸方向に沿って形成されても良い。
【００３１】
第１の発明によれば、底面部の中心近傍に、開口部の長軸方向に向かって傾斜する突出部が短軸方向に沿って連続して形成されるため、突出部と対向するようにＬＥＤ光源を配置することで、突出部で反射された光を長軸方向の端部近傍に向けて反射させることができる。すなわち、ＬＥＤ光源からの光を、突出部で反射させることで、光を長軸方向の外周部に効率よく反射して、中心部近傍における反射光強度を弱め、中心から距離が遠い長軸方向の端部近傍の開口部の光強度を高めることができる。このため、長軸方向の端部近傍の開口部からも効率よく光を取り出すことができ、取り出す光の均一化を計ることができる。
【００３２】
また、同様の目的で、突出部の外周に傾斜部を設けて、突出部と傾斜部を構成することで、長軸方向の略中央からの光を、少ない反射回数で効率よく長軸方向の端部まで反射することができ、部位によらず光の均一化を計ることができる。
【００３３】
また、傾斜部に膨出部を形成することで、膨出面において光を広げるように反射することができる。このため、例えば短軸方向の端部近傍の開口部であっても、ＬＥＤ光源から離れた部位において光の輝度が減少することを抑制することができる。
【００３４】
第２の発明は、第１の発明にかかる光反射板から構成されることを特徴とする照明装置用の枠体である。
【００３５】
第２の発明によれば、光反射板をＬＥＤ照明装置の枠体として使用することで、第１の発明と同一の効果を得ることができる。
【００３６】
第３の発明は、第１の発明にかかる光反射板からなる外側枠体と、前記外側枠体の前記開口部の一部に配置される、マイクロ発泡樹脂製の内側反射板と、前記内側反射板の中心近傍に、前記開口部から視認できない位置に配置されるＬＥＤ光源と、を具備し、前記内側反射板と前記外側枠体は、相互に所定距離離間して配置され、前記外側枠体と、前記内側反射板は、それぞれ、互いに直交する長軸方向と短軸方向の長さが異なり、前記内側反射板の長軸方向と、前記外側枠体の長軸方向と整合し、前記ＬＥＤ光源は、前記短軸方向に沿って連続して形成された突出部と対向し、前記内側反射板の裏面側と、前記外側枠体の表面側と、前記内側反射板の周囲の前記外側枠体の前記開口部によって囲まれた空間が、導光空間となり、前記ＬＥＤ光源からの光が前記導光空間により導光されて、前記内側反射板の周囲の前記外側枠体の前記開口部によって形成された光取り出し部から、光取り出しを行うことを特徴とするＬＥＤ照明装置である。
【００３７】
前記突出部は、前記底面部の長軸方向の略中央に、短軸方向に所定距離連続して形成されるか、あるいは前記底面部の長軸方向の略中央を短軸方向に横断するように形成されてもよい。
【００３８】
前記底面部には、前記突出部に向かって長軸方向に傾斜する曲面状または平面状の傾斜部が前記突出部の下端部と連続するように、長軸方向に所定長さで形成されてもよい。
【００３９】
前記底面部の長軸方向の端部側の前記側壁部は、長軸方向に対して、前記傾斜部と逆向きになだらかに傾斜する第２の傾斜部であっても良い。
【００４０】
前記傾斜部の傾斜面には、前記傾斜部の短軸方向に  前記傾斜部の傾斜面には、前記傾斜部の短軸方向に上方に向って膨出する膨出部が長軸方向に沿って所定長さで形成されてもよい。
膨出する膨出部が長軸方向に沿って所定長さで形成されてもよい。
【００４１】
前記外側枠体の前記側壁部と前記底面部の境界部には、前記底面部から前記光取り出し部に向けて光を反射するように徐々に曲がる曲線部が形成されても良い。
【００４２】
前記光取り出し部には、光透過部材が配置されてもよい。
【００４３】
前記内側反射板により、底面部と側壁部を有する箱型形状の内側枠体が形成され、前記内側枠体の内部に収納空間が形成されていても良い。
【００４４】
底面部と側壁部とを有する箱型形状の内側枠部材の少なくとも底面部の裏面に、前記内側反射板が貼付けられたものであり、前記内側枠部材の内部に収納空間が形成されていてもよい。
【００４５】
前記内側枠体の収納空間に内側枠部材が収納され、前記内側枠部材の内部に収納空間が形成されていてもよい。
【００４６】
前記内側枠体または前記内側枠部材の前記収納空間に収納ケースが形成されもよい。
【００４７】
前記収納ケースには、スイッチまたは制御回路が収納されてもよい。
【００４８】
前記収納ケースに画像モニターまたはテレビ受像機が収納されてもよい。
【００４９】
前記収納ケースが眼鏡ケースまたは財布入れであり、前記収納ケースには、前記内側反射板の開口部と略同一平面を形成するように形成されている蓋部材が設けられてもよい。
【００５０】
前記内側反射板または前記外側枠体のそれぞれの開口部の形状がともに略長方形、略長円形、略楕円形、略突レンズ形状、略菱形のいずれかであってもよい。
【００５１】
前記内側反射板または前記外側枠体の中心位置が略一致し、さらに前記光取り出し部は、前記内側反射板の外周に所定幅に形成されてもよい。
【００５２】
前記マイクロ発泡樹脂は、ＰＥＴ樹脂、ＰＣ樹脂、難燃ＰＣ樹脂、アクリル系樹脂、難燃アクリル樹脂のいずれかからなってもよい。
【００５３】
前記マイクロ発泡樹脂は、酸化アルミニウム標準板に対する光反射率が、全反射率が９５％以上、拡散反射率が９０％以上であってもよい。
【００５４】
前記外側枠体は、前記開口部の外周部にフランジ部が形成されていて、前記フランジ部に前記光透過部材が接着されてもよい。
【００５５】
前記光取り出し部から視認できない位置に、前記内側反射板と前記外側枠体を繋ぐ透明樹脂製の突部または柱部が設けられてもよい。
【００５６】
前記光透過部材は、アクリル樹脂、ＰＣ樹脂、硬質ガラスのいずれか、あるいはこれらの材料のいずれかに保護フィルムを設けたものであってもよい。
【００５７】
前記ＬＥＤ光源は、白色または昼白色の光源、あるいは赤、緑、青の着色光源のいずれかであってもよい。
【００５８】
前記ＬＥＤ光源は、赤、緑、青の着色光源の切換え、または混合により発光色を制御することが可能であってもよい。
【００５９】
前記ＬＥＤ照明装置が、携帯用照明装置、室内用照明装置、車輌用照明装置のいずれかであってもよい。
【００６０】
第３の発明によれば、第１の発明と同様の効果を得ることができる。すなわち、底面部の中心近傍に、開口部の長軸方向に向かって傾斜する突出部が短軸方向に沿って連続して形成され、突出部と対向するようにＬＥＤ光源を配置することで、突出部で反射された光を長軸方向の端部近傍に反射させることができる。このため、長軸方向の端部近傍の開口部からも効率よく光を取り出すことができ、取り出す光の均一化を計ることができる。
【００６１】
また、このような突出部が短軸方向に所定の長さ形成されることで、効率よく突出部で長軸方向の端部側へ光を反射させることができる。
【００６２】
また、突出部の外周に傾斜部を設けて、突出部と傾斜部を形成することで、長軸方向の略中央からの光を、少ない反射回数で効率よく長軸方向の端部まで反射することができ、部位による取り出す光の均一化を計ることができる。
【００６３】
また、光反射板の長軸方向の端部側に、傾斜部と対向する第２の傾斜部を設けることで、底面の長軸方向の端部側で反射した光を効率よく開口部や光反射板の側壁部に導光することができる。
【００６４】
また、傾斜部に膨出部を形成することで、膨出面において光を広げるように反射することができる。このため、例えば短軸方向の端部近傍の開口部であっても、ＬＥＤ光源から離れた部位において光の輝度が減少することを抑制することができる。
【００６５】
また、外側枠体の側壁部と底面部の境界部に曲線部を設けることで、底面部から光取り出し部に向けて効率よく光を反射することができる。
【００６６】
光取り出し部に、光透過部材を配置することで、外側枠体の内部に異物が侵入することを抑制することができる。また、光透過部材によって、グレア感を抑制し、光の輝度を均一化することができる。
【００６７】
また、内側反射板が箱型形状であって、内部に収納空間を有すれば、内側反射板の内部に部材を収納することができる。
【００６８】
また、内側反射板が、底面部と側壁部とを有する箱型の内側枠部材の少なくとも裏面に貼付けられたものであり、内側枠部材の内部に収納空間が形成されていれば、内側枠部材により収納空間の剛性や意匠性を高めることができる。底面部の他に、側面部にも内側反射板を貼付けても良い。側面部に反射板を貼付けることにより、開口部から取出す光の輝度を高めることができる。
【００６９】
また、内側枠体の内部に、底面部と側壁部を有する箱型の内側枠部材が収納されれば、内側枠部材の内部に収納空間が形成されていても良い。この場合にも、内側枠部材により収納空間の剛性や意匠性を高めると同時に、内側枠部材の外側に配置される内側枠体により、内側枠部材が覆われているので、開口部から取出す光の輝度を高めることができる。
【００７０】
内側反射板の内部に内側枠部材を収納する場合は、両者は摩擦接触より固定してもよいし、接着剤により固定しても良いし、溝や爪による嵌合などの機械的方法により固定してもよい。また、内側枠部材は、例えば、熱可塑樹脂の射出成形品やアルミやステンレスの金属プレス成形品あるいはアルミ鋳物などを用いることができる。このようにすることで、内側枠部材の質感を変えたり、色調を変えたりして、意匠性や装飾性を高めることができる。
【００７１】
例えば、収納ケースに、スイッチまたは制御回路が収納されれば、ＬＥＤ光源の制御や切換え等を行うことができる。
【００７２】
また、収納ケースに画像モニターまたはテレビ受像機が収納されれば、ＬＥＤ照明装置をテレビなどの画面の周囲を照らす照明装置として利用することができる。
【００７３】
また、収納ケースが眼鏡ケースまたは財布入れであり、収納ケースに、内側反射板の開口部と略同一平面の蓋部材が設けられれば、例えば自動車などの車内において、利用者が容易に眼鏡または財布を収納することができる。
【００７４】
また、本発明では、内側反射板または外側枠体のそれぞれの開口部の形状がともに略長方形、略長円形、略楕円形、略突レンズ形状、略菱形のいずれかであっても、外周部近傍から略均一な光を取り出すことができる。
【００７５】
例えば、内側反射板および外側枠体の中心位置が略一致し、光取り出し部が内側反射板の外周に所定幅に形成されることで、内側反射板の周囲の全周から略均一な光を取り出すことができる。
【００７６】
また、光反射板を構成するマイクロ発泡樹脂としては、ＰＥＴ樹脂、ＰＣ樹脂、アクリル樹脂、または難燃アクリル樹脂など種々の材質を適用することができる。
【００７７】
また、マイクロ発泡樹脂の可視光帯域での光反射率が、全反射率が９５％以上、拡散反射率が９０％以上であれば、効率よく光を反射して光を導光することができる。
【００７８】
また、外側枠体の開口部の外周部にフランジ部が形成されていて、フランジ部に光透過部材が接着されれば、光透過部材を容易に外側枠体に接合することができる。
【００７９】
また、光取り出し部から視認できない位置に、内側反射板と外側枠体を繋ぐ透明樹脂製の突部または柱部を設けることで、内側反射板と外側枠体との距離を一定に維持することができると同時に、照明装置の剛性が向上する。
【００８０】
また、光透過部材としては、種々の材質を適用することができる。
【００８１】
また、ＬＥＤ光源の光を、白色または昼白色の光源、あるいは赤、緑、青の着色光源のいずれかとすることで、光を実用照明や加飾用照明として利用することができる。
【００８２】
また、ＬＥＤ光源が、赤、緑、青の着色光源の切換え、または混合により発光色を制御することが可能であれば、加飾効果に加えてエンターティメント性などを付与することができる。
【００８３】
本ＬＥＤ照明装置は、特に、携帯用照明装置、室内用照明装置または車輌用照明装置に好適である。
【００８４】
第４の発明は、マイクロ発泡樹脂製の内側枠体と、内側枠体の外部に配置される外側枠体とを具備し、前記内側枠体と前記外側枠体は、一方に開口部を有し、側壁部と底面部から形成され、それぞれの前記開口部は、互いに直交する長軸方向と短軸方向の長さが異なり、さらに両者の長軸方向が整合し、前記内側枠体と前記外側枠体は、相互に所定距離離間して配置され、前記内側枠体の内部が収納空間であり、前記内側枠体の前記底面部の裏面の中心であって、前記内側枠体の前記開口部から視認できない位置にＬＥＤ光源が配置され、前記内側枠体の裏面側と、前記外側枠体の表面側と、前記内側枠体と前記外側枠体の前記開口部によって囲まれた空間が、導光空間を形成となり、前記ＬＥＤ光源からの光が前記導光空間により導光されて、前記内側枠体の開口部と前記外側枠体の開口部とによって形成された光取り出し部から、光取り出しを行うＬＥＤ照明装置において、前記ＬＥＤ光源と対向する前記外側枠体の前記底面部の中心近傍に前記外側枠体の長軸方向に向かって傾斜し、前記内側枠体に向かって突出する突出部が短軸方向に沿って所定距離連続して形成されており、前記ＬＥＤ光源から出射される光束の一部を、前記突出部に反射させて、長軸方向の端部の前記側壁部に向けて反射させることで、前記ＬＥＤ光源の近傍から取り出される光の光強度を弱め、長軸方向の端部の前記側壁部の内側の前記光取り出し部から取り出す光の光強度を増加させることを特徴とするＬＥＤ照明装置からの光取り出し方法である。
【００８５】
前記ＬＥＤ光源と突出部は、ＬＥＤ光源の配向半角６０°〜４５°の範囲に突出部が含まれるように配置されることが望ましい。ＬＥＤ光源と突出部がこのように配置されれば、ＬＥＤ光源から出射される光束の光強度の強い部分を突出部に反射させて、さらに側壁部に反射させることで、開口部から取り出す光の光強度を増加させることが可能になる。この理由は、通常ＬＥＤ光源の光強度は、配光半角６０°の場合でＬＥＤ光源の法線方向の光強度の約１／２であることから、ＬＥＤ光源の光強度の強い部分の光を、突出部に反射させることができるからである。
【００８６】
前記外側枠体の前記底面部の長軸方向に前記突出部に向かって緩やかに傾斜角度を増大しながら上昇する傾斜部あるいは、前記突出部の傾斜角度より小さい所定角度の傾きを有する傾斜部が形成されていて、前記ＬＥＤ光源から出射される光を前記傾斜部に反射させることで、さらに長軸方向端部の前記側壁部に反射させて、長軸方向端部の前記側壁部の内側の前記光取り出し部から取り出す光の光強度を増加させることで長軸方向の光強度を調整してもよい。
【００８７】
前記傾斜部の傾斜面には、前記傾斜部の短軸方向に上方に向かって膨出する膨出部が長軸方向に沿って所定長さで形成され、前記膨出部の両側の傾斜面で光を反射させて、長軸方向に沿って設けられた前記側壁部の内側の光取り出し部から取り出す光の光強度を強めても良い。
【００８８】
第４の発明によれば、外側枠体の略中央に突出部を設け、突出部と対向するようにＬＥＤ光源を配置することで、突出部で反射された光を長軸方向の端部近傍に向けて反射させることができる。すなわち、ＬＥＤ光源からの光を突出部で反射させることで、光を長軸方向の外周部に効率よく反射して、中心部近傍における反射光強度を弱め、中心から距離が遠い長軸方向の端部近傍の開口部の光強度を高めることができる。このため、長軸方向の端部近傍の開口部からも効率よく光を取り出すことができ、取り出す光の均一化を計ることができる
【００８９】
また、外側枠体の長軸方向に突出部に向かって緩やかに傾斜角度を増大しながら上昇する傾斜部を形成することで、長軸方向端部の光取り出し部から取り出す光の光強度を増加させ、長軸方向の光強度を調整することができる。
【００９０】
また、傾斜部の傾斜面に、傾斜部の短軸方向に上方に向って膨出する膨出部を長軸方向に沿って形成することで、膨出部の両側の傾斜面で光を反射させて、長軸方向に沿って設けられた側壁部の光取り出し部から取り出す光の光強度を強めることができる。
【発明の効果】
【００９１】
本発明によれば、ＬＥＤ光源を中心として、光を取り出す開口部までの長軸方向の距離と短軸方向の距離の差が大きい場合でも、光の取り出し部位による輝度の差を抑制することが可能な光反射板、照明装置、ＬＥＤ照明装置、照明装置用の枠体およびＬＥＤ照明装置からの光取り出し方法を提供することができる。
【図面の簡単な説明】
【００９２】
【図１】（ａ）は、ＬＥＤ照明装置１を示す平面図、（ｂ）は、（ａ）のＡ−Ａ線断面図。
【図２】（ａ）は、ＬＥＤ照明装置１ａを示す平面図、（ｂ）は、（ａ）のＤ−Ｄ線断面図。
【図３】（ａ）は、ＬＥＤ照明装置１ｂを示す平面図、（ｂ）は、（ａ）のＧ−Ｇ線断面図。
【図４】（ａ）は、ＬＥＤ照明装置１ｃを示す平面図、（ｂ）は、（ａ）のＨ−Ｈ線断面図。
【図５】ＬＥＤ照明装置１ｄを示す平面図。
【図６】（ａ）は、図５のＩ−Ｉ線断面図、（ｂ）は、図５のＪ−Ｊ線断面図。
【図７】（ａ）は、ＬＥＤ照明装置１ｅを示す平面図、（ｂ）は、（ａ）のＫ−Ｋ線断面図。
【図８】ＬＥＤ照明装置１ｆを示す平面図。
【図９】（ａ）は、蓋部材３７を閉じた状態のＬＥＤ照明装置１ｇを示す断面図、（ｂ）は、蓋部材３７を開いた状態のＬＥＤ照明装置１ｇを示す断面図。
【図１０】（ａ）は、ＬＥＤ照明装置１ｈを示す断面図、（ｂ）は、ＬＥＤ照明装置１ｉを示す断面図。
【図１１】（ａ）は、ＬＥＤ照明装置１ｊを示す断面図、（ｂ）は、照明装置１ｋを示す断面図。
【図１２】（ａ）は、従来のＬＥＤ照明装置１００を示す平面図、（ｂ）は、（ａ）のＺ−Ｚ線断面図。
【発明を実施するための形態】
【００９３】
（第１実施形態）
以下、図面を参照しながら、本発明の実施形態について説明する。図１（ａ）はＬＥＤ照明装置１を示す平面図であり、図１（ｂ）は、図１（ａ）のＡ−Ａ線断面図である。なお、以下の説明において、平面図においては、内側反射板１５および光透過部材２７等の透視図とする。また、以下の説明において、ＬＥＤ光源の配線や基板等は図示を省略する。
【００９４】
ＬＥＤ照明装置１は、主に、外側枠体３、内側反射板１５、ＬＥＤ光源１７、光透過部材２７等から構成される。外側枠体３は、マイクロ発泡樹脂からなる照明装置用の光反射板５によって形成される。また、内側反射板１５も、同様にマイクロ発泡樹脂からなる。本発明で用いられるマイクロ発泡樹脂は、中央に発泡層を有し、両面に非発泡層を有する絶縁性の樹脂シートである。ここで、発泡層とは、発泡により、気泡を生成させた層をいう。
【００９５】
本発明で使用される、マイクロ発泡樹脂シートの厚さは０．４ｍｍ〜２．０ｍｍで、表面の非発泡層の厚さは１０〜３０μｍである。また、本発明のマイクロ発泡樹脂シートは、平均気泡径が０．２μｍから４０μｍの範囲であることが好ましい。平均気泡径が０．２μｍより小さすぎると、光の透過度が高くなり反射率が低下する。また、平均気泡径が大きすぎると拡散反射率が低下するため、平均気泡径は０．２μｍから４０μｍ以下とする必要がある。さらに平均気泡径は０．５μｍから２０μｍであることが好ましい。
【００９６】
波長４５０〜６５０ｎｍの可視光帯域における、マイクロ発泡樹脂製の外側枠体３と内側反射板１５の光学特性として、酸化アルミニウム標準板を用いた時の光反射率は、全反射率が９５％以上、拡散反射率が９０％以上を満たし、反射率の波長依存性が２％以下、好ましくは１％以下の範囲内にあることが望ましい。なお、波長が４５０〜６５０ｎｍの可視光に対する光学特性は、成形前のマイクロ発泡樹脂シートと、成形された後の外側枠体３と内側反射板１５とで大きく変わることはない。
【００９７】
ここで、本発明のマイクロ発泡樹脂シートは、絶縁性を有し、その体積固有抵抗は１０１２Ω〜１０１７Ωである。この範囲であれば、本発明における絶縁性を十分確保できる。
【００９８】
また、本発明において、マイクロ発泡樹脂シートは、ＰＥＴ樹脂（ポリエチレンテレフタレート樹脂）、ＰＣ樹脂（ポリカーボネート樹脂）、難燃ＰＣ樹脂、アクリル系樹脂、例えばＰＭＭＡ樹脂（ポリメタクリル酸メチル樹脂）のいずれかから構成することが好ましい。上記の他、マイクロ発泡樹脂シートには、シクロオレフィンポリマー、ポリアクリロニトリルなどのアクリル樹脂に難燃性を持たせた透明樹脂を使用することもできる。また、使い場所や用途により帯電防止、難燃性付与、耐紫外線のコーティングなどの処理をされたマイクロ発泡樹脂シートを使用しても良い。
【００９９】
光反射板５からなる外側枠体３は、底面部９と、側壁部１１から構成される。側壁部１１は、底面部９の外周に全周にわたって起立する。側壁部１１の縁部で囲まれる領域であって、底面部９と対向する部位が、開口部１３となる。すなわち、外側枠体３は、一方の面側にのみ開口する容器状の形状である。なお、外側枠体３の側壁部１１と底面部９の境界部には、底面部９から後述する光取り出し部２１（開口部１３）に向けて光を反射するように徐々に曲がる曲線部２３が形成される。
【０１００】
外側枠体３（開口部１３）は、開口部１３の中心を通り、互いに直交する長軸方向（図１（ａ）のＢ方向）と短軸方向（図１（ａ）のＣ方向）の２軸方向の長さが大きく異なる。すなわち、外側枠体３（開口部１３）は、平面視において、長軸方向に対して細長い形状である。なお、外側枠体３（開口部１３）の形状は図示した例には限られず、例えば、略長方形、略長円形、略楕円形、略突レンズ形状、略菱形のいずれかから選択される。
【０１０１】
底面部９の長軸方向の中心近傍に、開口部１３に向かって突出する突出部７が形成される。図１（ｂ）に示すように、突出部７は、ＬＥＤ光源１７の直下を頂点として、長軸方向の両側に向けて傾斜する断面略三角形状である。なお、突出部７の傾斜面は直線状であっても曲線状であってもよい。また、突出部７は、図示したように、底面部９の長軸方向の略中央を短軸方向に完全に横断するように形成されてもよいが、底面部９の長軸方向の略中央に、短軸方向に所定距離連続して形成されればよく、例えば、突出部７の両端部が開口部に近接するように、さらに突出するように僅かに形成されても良い。
【０１０２】
外側枠体３（側壁部１１）の縁部には、外方に向かって折り曲げられたフランジ部２５が形成される。すなわち、外側枠体３の開口部１３の外周部にフランジ部２５が形成される。フランジ部２５には、光透過部材２７が接着される。すなわち、光透過部材２７によって、開口部１３が覆われる。
【０１０３】
ここで、光透過部材２７の材質としては、例えば、透明または半透明のアクリル樹脂、ポリカーボネート（ＰＣ）樹脂、または硬質ガラス製である。また、光透過部材２７は、これらの材料のいずれかに保護フィルムが貼り付けられたものであってもよい。なお、光透過部材２７は、必ずしも必要ではないが、通常は、照明装置への埃や塵などの混入を防止する観点から設けられることが多い。
【０１０４】
光透過部材２７の下面（外側枠体３との対向面）には、平板状の内側反射板１５が配置される。すなわち、外側枠体３の開口部１３には光透過部材２７が設けられ、光透過部材２７の裏面に、平板状の内側反射板１５が貼付けられる。また、内側反射板１５と外側枠体３は、相互に所定距離離間して配置され、内側反射板１５の外側に外側枠体３が配置される。内側反射板１５によって、開口部１３の一部が塞がれる。
【０１０５】
内側反射板１５の外形は、外側枠体３の外形と略同様であって、外側枠体３の開口部１３よりもわずかに小さい。すなわち、内側反射板１５と、外側枠体３の開口部１３の形状が、それぞれ略長方形、略長円形、略楕円形、略突レンズ形状略菱形のいずれかから選択された１つの形状を有する。このため、内側反射板１５も、互いに直交する長軸方向と短軸方向の長さが異なる。
【０１０６】
内側反射板１５と外側枠体３は、互いの中心位置が略一致するように（中心を共有するように）配置される。また、内側反射板１５と外側枠体３は、内側反射板１５の長軸方向と、外側枠体３の長軸方向とが互いに整合するように配置される。このため、内側反射板１５の外周には、所定幅の開口部１３が形成される。内側反射板１５と外側枠体３の側壁部１１の間が、光取り出し部２１となる。すなわち、光取り出し部２１は、内側反射板１５の外周に所定幅に形成される。なお、前述したように、光取り出し部２１には、光透過部材２７が配置される。
【０１０７】
内側反射板１５の中心部近傍の裏面側であって、開口部１３から視認できない位置に、一つのＬＥＤ光源１７が配置される。すなわち、ＬＥＤ光源１７は、突出部７と対向するように配置される。
【０１０８】
なお、ＬＥＤ光源１７は、例えば、白色または昼白色の光源、あるいは赤、緑、青の着色光源のいずれかの光源である。また、ＬＥＤ光源１７は、赤、緑、青の着色光源の切換え、または混合により、発光色を制御することが可能であってもよい。このようにすることで、加飾効果に加えてエンターティメント性などを付与することができる。
【０１０９】
次に、ＬＥＤ照明装置１からの光取り出し方法について説明する。前述したように、ＬＥＤ光源１７は、突出部７と対向し、突出部７に向けて光を出射する。ＬＥＤ光源１７からの光は、内側反射板１５の裏面側と、外側枠体３の表面側とで反射する。すなわち、内側反射板１５の裏面側と外側枠体３の表面側と、開口部１３によって囲まれた空間が、導光空間１９となる。したがって、ＬＥＤ光源１７からの光が導光空間１９により導光されて、内側反射板１５と外側枠体３の間の開口部１３で形成された光取り出し部２１から、光取り出しを行うことができる。
【０１１０】
ここで、ＬＥＤ光源１７と対向する外側枠体３の底面部９の中心近傍には、外側枠体３の長軸方向に向かって傾斜し、内側反射板１５の向かって突出する突出部７が短軸方向に沿って所定距離連続して形成されている。このため、ＬＥＤ光源１７から出射される光束の一部を、突出部７に反射させて、長軸方向の端部の側壁部１１に向けて反射させることができる（図１（ｂ）の矢印Ｐ）。
【０１１１】
また、別の光束は直接側壁部１１に向けて反射されないまでも、突出部７で反射されることで、内側反射板１５のより側壁部１１に近い位置で反射される。このため、内側反射板１５と底面部９での多重反射回数を少なくすると同時に、開口部から光を取出すまでの光路長を短くすることができる。
【０１１２】
また、側壁部１１は、突出部７から側壁部１１に向けて反射された光を、側壁部１１の上端部の内周に形成された開口部１３に向けて光を反射することが可能なように、底面部９に対して傾斜面または曲面を有する。このため、長軸方向の端部近傍の開口部１３へ、効率よく光を反射することができる。このように、突出部７に光を反射させて、ＬＥＤ光源１７の近傍（長軸方向の中央部近傍）から取り出される光の光強度を弱め、長軸方向の端部の側壁部１１の内側の光取り出し部２１から取り出す光の光強度を増加させることができる。
【０１１３】
また、前述のように、突出部７から直接側壁部１１に向けて反射させることができない光束に対しても、突出部７と側壁部１１が相互に対向するように配置されることで、内側反射板１５と底面部９とに少ない反射回数で反射させて開口部から光取出しを行なうことができる。
【０１１４】
以上、本実施の形態によれば、外側枠体３と内側反射板１５とがそれぞれマイクロ発泡樹脂製の反射板として機能するため、枠体の他に反射板を別体で設置する必要がない。このため、ＬＥＤ照明装置１の厚みを薄くすることができる。
【０１１５】
また、ＬＥＤ光源１７は、内側反射板１５によって、直接光を遮蔽することができ、グレア感を低減することができる。また、ＬＥＤ光源１７から遠い開口部１３へ向けて、突出部７によって光を反射させるため、長軸方向の導光に対しても、光の反射回数を減らすことができ、効率よく光を長軸方向の端部へ導光することができる。このため、長軸方向と短軸方向の長さの差が大きいＬＥＤ照明装置１においても、内側反射板１５の全周にわたって、光取り出し部２１の位置によらず、輝度のばらつきを低減することができる。
【０１１６】
ここで、マイクロ発泡樹脂製の反射板は、拡散反射率が高いため、図示した様な正反射のみによる導光だけではなく、反射時には、正反射と拡散反射の両方が起こる。しかし、拡散反射率が高くても、正反射方向への反射率が大きいため、正反射方向での反射回数を減らすことで、光取り出し部まで導光される光の平均反射回数は減らすことができる。
【０１１７】
なお、正反射成分の強度は、反射面法線に対する入射光の角度である入射角が大きくなる程、逆に言うと反射面に低角度で入射させる程反射光の強度が強くなる。このため、光を反射面に対して低角度で入射させて入射面に対して低角度で反射させることが望ましい。突出部７に反射させた光が遠くに送られて、少ない反射回数で側壁部１１の内部に形成された開口部１３から光を取出すことができる。また、突出部７近傍において、拡散反射する反射光強度を減少させる効果も重畳されるため、ＬＥＤ光源１７に近い開口部１３から取出される光の光強度を弱め、遠い部分の光強度を強める効果がある。
【０１１８】
この際に、突出部７の形成面（反射面）に対して低角度で入射させ、低角度で反射させることで、反射光強度をさらに強めることができる。
【０１１９】
また、外側枠体３が突出部７のような形状を有していない従来の形状の場合は、外側枠体３と内側反射板１５は略平行で、平行平面間で多重反射が繰り返された後に側壁部１１において反射する。このため、正反射成分の反射強度が低下する効果が重畳され、ＬＥＤ光源１７から開口部１３までの導光距離の相違による光強度の減衰量の差が大きくなり、ＬＥＤ照明装置１の寸法形状による異方性を解消することはできない。もちろん、反射回数が多くなると、反射のたびの、極僅かではあるが、光の透過と吸収によって、光強度の低下が認められることは間違いなので、反射回数は少ない方が望ましい。
【０１２０】
また、光透過部材２７を光が透過する際に、光透過部材２７に入射・透過した照明光の一部を拡散反射することで更に光を均一にすることができる。
【０１２１】
なお、本発明のＬＥＤ照明装置は、携帯用照明装置、室内用照明装置、車輌用照明装置に特に好適である。例えば、クルマの室内ランプ（車両の天井照明）として使用した場合、光取り出し部２１の位置によらず、略均一な光を取り出すことができる。
【０１２２】
（第２実施形態）
次に、第２の実施形態について説明する。図２（ａ）はＬＥＤ照明装置１ａを示す平面図であり、図２（ｂ）は、図２（ａ）のＤ−Ｄ線断面図である。なお、以下の説明において、ＬＥＤ照明装置１と同一の機能を奏する構成については、図１と同一の符号を付し、重複する説明を省略する。
【０１２３】
ＬＥＤ照明装置１ａは、ＬＥＤ照明装置１とほぼ同様の構成であるが、底面部９の形状が異なる。ＬＥＤ照明装置１ａの底面部９には、突出部７に向かって長軸方向に傾斜する平面状の傾斜部２９が形成される。傾斜部２９は、突出部７の下端部と連続するように、長軸方向に所定長さで形成される。なお、傾斜部２９の傾斜角度（図２（ｂ）の角度Ｆ）は、突出部７の傾斜角度（図２（ｂ）の角度Ｅ）より小さく、突出部７に向かって上昇する。
【０１２４】
次に、ＬＥＤ照明装置１ａにおける光の取り出し方法について説明する。前述したように、ＬＥＤ光源１７からの光は、突出部７の傾斜面によって、長軸方向へ向けて反射する。この際、突出部７の傾斜面で反射した光は、底面部９に向かって反射される。
【０１２５】
ここで、ＬＥＤ照明装置１ａの底面部９には、外側枠体３の底面部９の長軸方向に、突出部７に向かって上昇し、突出部７の傾斜角度より小さい所定角度の傾きを有する傾斜部２９が形成される。したがって、ＬＥＤ光源１７から出射される光を、傾斜部２９に反射させることで、傾斜部がない場合と比較して、長軸方向のより遠くに光を反射させることができる（図中矢印Ｑ）。このようにすることで、長軸方向端部の側壁部１１に光を効率よく反射させて、長軸方向端部の側壁部１１の内側の光取り出し部２１から取り出す光の光強度を増加させることができる。すなわち、傾斜部２９によって、長軸方向の光強度を調整することができる。
【０１２６】
第２の実施形態によれば、第１の実施形態と同様の効果を得ることができる。また、底面部９に、突出部７の下端に接続し、突出部７の傾斜角度よりも緩やかな傾斜角度の傾斜部２９を設けることで、突出部７で反射した光を、さらに傾斜部２９で反射させ、外側枠体３の長軸方向端部に向けて光を反射させることができる。
【０１２７】
（第３実施形態）
次に、第３の実施形態について説明する。図３（ａ）はＬＥＤ照明装置１ｂを示す平面図であり、図３（ｂ）は、図３（ａ）のＧ−Ｇ線断面図である。ＬＥＤ照明装置１ｂは、ＬＥＤ照明装置１ａとほぼ同様の構成であるが、傾斜部２９の形態が異なる。
【０１２８】
ＬＥＤ照明装置１ａでは、傾斜部２９は、突出部７に向かって上昇するように、平面状に形成されたが（図中点線で示す）、ＬＥＤ照明装置１ｂの傾斜部２９は、曲面状の傾斜部である。すなわち、ＬＥＤ照明装置１ｂの底面部９は、下に凸の曲面形状であって、外側枠体３の長軸方向に、突出部７に向かって緩やかに傾斜角度を増大しながら上昇する傾斜部２９が形成される。
【０１２９】
ＬＥＤ照明装置１ｂも、ＬＥＤ照明装置１ａと同様に、ＬＥＤ光源１７から出射される光を傾斜部２９に反射させ、さらに長軸方向端部の側壁部１１に反射させて、長軸方向端部の側壁部１１の内側の光取り出し部２１から取り出す光の光強度を増加させることができる。すなわち、傾斜部２９によって、長軸方向の光強度を調整することができる。
【０１３０】
第３の実施形態によれば、第１の実施形態と同様の効果を得ることができる。また、底面部９に、突出部７の下端に接続し、突出部７に向かって緩やかに傾斜角度を増大しながら上昇する傾斜部２９を設けることで、突出部７で反射した光を、さらに傾斜部２９で反射させ、外側枠体３の長軸方向端部に向けて光を反射させることができる。
【０１３１】
（第４実施形態）
次に、第４の実施形態について説明する。図４（ａ）はＬＥＤ照明装置１ｃを示す平面図であり、図４（ｂ）は、図４（ａ）のＨ−Ｈ線断面図である。ＬＥＤ照明装置１ｃは、ＬＥＤ照明装置１ａとほぼ同様の構成であるが、長軸方向端部の側壁部１１の形態が異なる。
【０１３２】
前述したように、底面部９には、突出部７に向けてなだらかに上昇する傾斜部２９が形成される。傾斜部２９の突出部７とは逆側の長軸方向の端部は、側壁部１１と接続される。ここで、底面部９の長軸方向の端部側の側壁部１１は、長軸方向に対して、傾斜部２９とは逆向きに対向してなだらかに傾斜する第２の傾斜部２９ａを具備する。
【０１３３】
ＬＥＤ照明装置１ｃも、ＬＥＤ照明装置１ａ等と同様に、ＬＥＤ光源１７から出射される光を傾斜部２９に反射させ、さらに長軸方向端部の側壁部１１に反射させる。すなわち、傾斜部２９で反射した光は、さらに傾斜部２９ａで反射する。このため、効率よく光取り出し部２１側に光を反射することができる（図中矢印Ｓ）。したがって、傾斜部２９、２９ａによって、長軸方向の光強度を調整することができる。
【０１３４】
第４の実施形態によれば、第１の実施形態と同様の効果を得ることができる。また、底面部９に傾斜部２９を設け、長軸方向端部の側壁部１１を第２の傾斜部２９ａとすることで、突出部７と傾斜部２９とで反射した長軸方向端部の光を、効率よく光取り出し部２１側へ反射させて、光を取り出すことができる。
【０１３５】
（第５実施形態）
次に、第５の実施形態について説明する。図５は、第５の実施形態にかかるＬＥＤ照明装置１ｄを示す平面図であり、図６（ａ）は、図５のＩ−Ｉ線断面図、図６（ｂ）は、図５のＪ−Ｊ線断面図である。ＬＥＤ照明装置１ｄは、ＬＥＤ照明装置１等とほぼ同様の構成であるが、外側枠体３の形態が異なる。
【０１３６】
図６（ａ）に示すように、ＬＥＤ照明装置１ｄは、底面部９の全体が下に凸の曲面で形成される。すなわち、傾斜部２９が曲面状に形成される。また、図６（ｂ）に示すように、ＬＥＤ照明装置１ｄは、短軸方向に対しても曲面状に形成される。
【０１３７】
また、ＬＥＤ照明装置１ｄは、側壁部１１も曲面状に形成される。したがって、ＬＥＤ照明装置１ｄでは、底面部９と側壁部１１との明確な境界は有しない。なお、図６（ａ）に示す長軸方向の断面図においては、突出部７の傾斜面と同一方向の傾斜面を有する部位が、傾斜部２９となり、変曲点を超えて傾斜方向が逆向きとなる部位が、第２の傾斜部２９ａとなる。
【０１３８】
ＬＥＤ照明装置１ｄも、ＬＥＤ照明装置１ｃ等と同様に、ＬＥＤ光源１７から出射される光を傾斜部２９に反射させ、さらに傾斜部２９ａで反射させる。このため、効率よく光取り出し部２１側に光を反射することができる（図６（ａ）の矢印Ｔ）。したがって、傾斜部２９、２９ａによって、長軸方向の光強度を調整することができる。
【０１３９】
また、短軸方向に対しても、光は底面部９または側壁部１１に反射する。この際、底面部９および側壁部１１が中心に向かって湾曲する曲面形状であるため、ＬＥＤ光源１７から出射し、短軸方向の端部側へ反射する光を、短軸中央側に反射させることができる（図６（ｂ）の矢印Ｕ）。このため、短軸方向端部の光取り出し部２１から取り出される光を減少させることができる。
【０１４０】
第５の実施形態によれば、第１の実施形態と同様の効果を得ることができる。また、底面部９および側壁部１１の全体を湾曲させて曲面状とすることで、効率よく長軸方向端部の光取り出し部２１側へ光を反射させて、光を取り出すことができる。このように、外側枠体３の突出部７から傾斜部２９および側壁部１１または、突出部７から傾斜部２９、２９ａおよび側壁部１１が滑らかな曲線状に形成されればよい。
【０１４１】
（第６実施形態）
次に、第６の実施形態について説明する。図７（ａ）はＬＥＤ照明装置１ｅを示す平面図であり、図７（ｂ）は、図７（ａ）のＫ−Ｋ線断面図である。ＬＥＤ照明装置１ｅは、ＬＥＤ照明装置１ｃとほぼ同様の構成であるが、傾斜部２９の形態が異なる。
【０１４２】
ＬＥＤ照明装置１ｅでは、傾斜部２９の一部に、短軸方向に湾曲して上方に膨らむ膨出部３１が長軸方向に沿って所定の長さで形成されている。膨出部３１は、例えば、断面が略円弧状である。なお、膨出部３１は、図示したように複数列（極大点を結ぶ線が複数本）で配置されてもよく、一列であってもよい。また、膨出部３１の極大線は、長軸方向に対して完全に平行でなくてもよく、斜めであってもよい。
【０１４３】
ＬＥＤ照明装置１ｅは、ＬＥＤ照明装置１ｃ等と同様に、ＬＥＤ光源１７から出射される光を傾斜部２９に反射させ、さらに傾斜部２９ａで反射させる。このため、効率よく長軸方向端部の光取り出し部２１側に光を反射することができる。
【０１４４】
一方、ＬＥＤ照明装置１ｅの短軸方向に対しては、膨出部３１によって、例えば、短軸方向の中央側に向く曲面においては、光は短軸方向中央側に向けて反射される（図７（ｂ）の矢印Ｖ１）。このため、長軸方向に対して、より遠くまで反射される。これに対し、膨出部３１の短軸方向端部側に向く曲面においては、短軸方向端部の光取り出し部２１側へ光を反射する（図７（ｂ）の矢印Ｖ２）。このため、短軸方向の端部近傍で反射した光は、効率よく短軸方向端部の光取り出し部２１から取り出すことができる。
【０１４５】
このように、傾斜部２９の傾斜面に、傾斜部２９の短軸方向に膨出する上方に向って膨出部３１を、長軸方向に沿って所定長さで形成することで、膨出部３１の両側の傾斜面で光を反射させることができる。このため、長軸方向に沿って設けられた側壁部１１の内側の光取り出し部２１から取り出される光の光強度を、効率よく強めることができる。
【０１４６】
第６の実施形態によれば、第１の実施形態と同様の効果を得ることができる。また、傾斜部２９に膨出部３１を設け、傾斜部２９と膨出部３１の形状を適切に設定することで、長軸方向端部側へ取出される光と、短軸方向端部側へ取出される光とのバランスを調整することができる。
【０１４７】
（第７実施形態）
次に、第７の実施形態について説明する。図８は、第７の実施形態にかかるＬＥＤ照明装置１ｆを示す断面図である。ＬＥＤ照明装置１ｆは、ＬＥＤ照明装置１等とほぼ同様の構成であるが、柱部３３が設けられる点で異なる。
【０１４８】
ＬＥＤ照明装置１ｆは、内側反射板１５の下面と外側枠体３の内面との間に、柱部３３が設けられる。すなわち、柱部３３は、光取り出し部２１から視認できない位置に配置される。柱部３３は、内側反射板１５と外側枠体３を繋ぐ透明樹脂製の部材である。
【０１４９】
柱部３３を設けることで、内側反射板１５が外側枠体３に支持され、導光空間１９が潰れてしまうことを防止することができる。すなわち、内側反射板１５と外側枠体３の配置間隔を一定に保ち、ＬＥＤ照明装置１ｆの剛性を高めることができる。
【０１５０】
なお、柱部３３に代えて内側反射板１５または外側枠体３に形成された突部であってもよい。柱部３３または突部が、内側反射板１５と外側枠体３の間に配置され、両者と接触すればよい。
【０１５１】
なお、突部を形成する場合には、導光空間１９において、内側反射板１５の裏面側または外側枠体３の表面側のいずれかに形成すればよい。すなわち、内側反射板１５と外側枠体３の対向部の一方の面に、対向面に向かって突出する突部が形成されればよい。この場合には、互いの対向方向に突出する突部が、対向する内側反射板１５の裏面または外側枠体３の表面に当接する。
【０１５２】
第７の実施形態によれば、第１の実施形態と同様の効果を得ることができる。また、柱部３３または突部を形成することで、ＬＥＤ照明装置１ｆの剛性を高め、導光空間１９が潰れることを抑制することができる。
【０１５３】
（第８の実施形態）
次に、第８の実施形態について説明する。図９（ａ）はＬＥＤ照明装置１ｇを示す断面図である。ＬＥＤ照明装置１ｇは、ＬＥＤ照明装置１等とほぼ同様の構成であるが、内側反射板１５の形態が異なる。
【０１５４】
ＬＥＤ照明装置１ｇの内側反射板は、底面部９ａと当該底面部９ａの外周に設けられる側壁部１１ａとからなる。すなわち、ＬＥＤ照明装置１ｇは、内側反射板として、マイクロ発泡樹脂製の内側枠体１５ａが用いられる。マイクロ発泡樹脂製の外側枠体３は、内側枠体１５ａの外部に配置される。したがって、外側枠体３と内側枠体１５ａはいずれも、一方に開口部１３、１３ａを有し、側壁部１１、１１ａと底面部９、９ａから形成される箱型形状である。なお、それぞれの開口部１３、１３ａは、互いに直交する長軸方向と短軸方向の長さが異なり、さらに両者の長軸方向が整合するように、内側枠体１５ａと外側枠体３が相互に所定距離離間して配置される。
【０１５５】
また、内側反射板（内側枠体１５ａ）の内部空間は、収納空間３５である。内側枠体１５ａの内部の底面部９ａ、側壁部１１ａで囲まれる収納空間３５によって、収納ケース３５ａが形成される。収納ケース３５ａは、内部に物を収納することができる。例えば、収納ケース３５ａは、眼鏡ケースまたは財布入れとして利用することができる。収納ケース３５ａには、内側枠体１５ａの開口部と略同一平面を形成するように形成されている蓋部材３７が設けられる。
【０１５６】
ＬＥＤ照明装置１ｇにおいては、内側枠体１５ａの底面部９ａの裏面の中心であって、内側枠体１５ａおよび外側枠体３の開口部１３、１３ａから視認できない位置にＬＥＤ光源１７が配置される。内側枠体１５ａの裏面側と、外側枠体３の表面側と、内側枠体１５ａと外側枠体３の開口部１３、１３ａによって囲まれた空間が、導光空間１９となる。
【０１５７】
図９（ｂ）は、蓋部材３７を開いた状態を示す図である。蓋部材３７は、例えばヒンジによって側壁部１１ａに固定される。すなわち、蓋部材３７は、内側枠体１５ａに対して開閉可能である。また、蓋部材３７が、内側枠体１５ａの開口部１３ａとほぼ同一面に配置されるため、蓋部材３７を閉じた状態では、前述した内側反射板１５を用いたＬＥＤ照明装置と見た目に差がない。
【０１５８】
なお、内側反射板として、底面部９ａと側壁部１１ａを有する内側枠体１５ａを用いる場合にも、外側枠体３としては、前述した各種の実施形態を組み合わせることができる。例えば、内側枠体１５ａと対向する外側枠体３の底面部９に、傾斜部２９、２９ａや膨出部３１を形成してもよく、また、内側枠体１５ａの裏面と外側枠体３の表面の間に柱部３３を配置してもよい。
【０１５９】
次に、ＬＥＤ照明装置１ｇからの光取り出し方法について説明する。前述したように、ＬＥＤ光源１７は、突出部７と対向し、突出部７に向けて光を出射する。ＬＥＤ光源１７からの光は、内側反射板１５の裏面側と、外側枠体３の表面側とで反射し、導光空間１９により導光され、内側枠体１５ａと外側枠体３の開口部１３、１３ａの間に形成された光取り出し部２１から、光取り出しを行うことができる。
【０１６０】
この際、ＬＥＤ光源１７と対向する外側枠体３の底面部９の中心近傍に外側枠体３の長軸方向に向かって傾斜し、内側枠体１５ａに向かって突出する突出部７が形成されている。このため、ＬＥＤ光源１７から出射される光束の一部を、突出部７に反射させて、長軸方向の端部の側壁部１１に向けて反射させることで、ＬＥＤ光源１７の近傍から取り出される光の光強度を弱め、長軸方向の端部の側壁部１１の内側の光取り出し部２１から取り出す光の光強度を増加させることができる。
【０１６１】
第８の実施形態によれば、第１の実施形態と同様の効果を得ることができる。また、内側反射板として内側枠体１５ａを用いることで、内側枠体１５ａの内部を収納ケース３５ａとして利用することができる。また、蓋部材３７を設けることで、見た目にも優れ、収納ケース３５ａを眼鏡や財布などの収納空間として利用することができる。
【０１６２】
なお、内側反射板１５を成形して、内側枠体１５ａのような枠体形状とするのではなく、内側枠体１５ａを、内側反射板１５とは別体としてもよい。この場合には、底面部９ａと側壁部１１ａを有する内側枠体１５ａと同様の箱型形状の枠部材の裏面に、内側反射板１５が張り付けられ、枠部材の内部に収納空間３５が形成される。
【０１６３】
（第９実施形態）
次に、第９の実施形態について説明する。図１０（ａ）は、第９の実施形態にかかるＬＥＤ照明装置１ｈを示す断面図である。ＬＥＤ照明装置１ｈは、ＬＥＤ照明装置１ｇと略同様の構成の構造を有するが、内側枠体１５ａの使用方法が異なる。
【０１６４】
ＬＥＤ照明装置１ｈの内側枠体１５ａの内部の収納ケース３５ａには、スイッチ３９および制御部４１の少なくとも一方が収納される。スイッチ３９は、制御部４１を操作するものである。制御部４１には、例えば、ＬＥＤ光源１７を制御するための制御回路が形成される。したがって、スイッチ３９を操作することで、ＬＥＤ光源１７のオンオフや色の変更など、各種の操作を行うことができる。
【０１６５】
第９の実施形態によれば、第１の実施形態と同様の効果を得ることができる。また、内側枠体１５ａの内部に制御部４１等を収納したため、内側枠体１５ａの表面側で、ＬＥＤ光源１７の操作を行うことができる。
【０１６６】
（第１０実施形態）
次に、第１０の実施形態について説明する。図１０（ｂ）は、第１０の実施形態にかかるＬＥＤ照明装置１ｉを示す断面図である。ＬＥＤ照明装置１ｉは、ＬＥＤ照明装置１ｈと略同様の構成の構造を有するが、収納ケース３５ａの構成が異なる。
【０１６７】
内側枠体１５ａの内部には、内側枠部材１５ｂが配置される。内側枠部材１５ｂは、底面部９ｂと側壁部１１ｂとを有する箱型形状である。内側枠部材１５ｂの内部の収納空間には、テレビ受像機４５が収容される。なお、テレビ受像機４５に代えて、内側枠部材１５ｂの内部に画像モニターを収容してもよい。
【０１６８】
また、内側枠体１５ａと内側枠部材１５ｂの固定は、たとえば、内側枠部材１５ｂを内側枠体１５ａに貼付けて固定しても良いし、内側枠体１５ａと内側枠部材１５ｂの両者に働く摩擦力で固定しても良い。あるいは内側枠部材１５ｂに溝や爪を形成して、内側枠体１５ａを内側枠部材１５ｂの溝や爪に嵌合させて機械的嵌合により固定しても良い。固定に際して、内側枠体１５ａと内側枠部材１５ｂは全面接触状態で固定しても良いが、少なくとも一部が接触するように固定されれば良く、他部分は所定距離離間して配置されても良い。
【０１６９】
なお、内側枠部材１５ｂに用いる材料は、ポリプロピレン樹脂の射出成形品である。また、内側枠部材１５ｂは、内側枠体１５ａよりも剛性が高いことが望ましい。内側枠部材１５ｂの剛性が高ければ、内部に重量のある部材を収容することができる。
【０１７０】
このように、ＬＥＤ照明装置１ｉの内側枠部材１５ｂの内部の収納ケース３５ａは、内側枠部材１５ｂが十分な剛性を有することから、テレビ受像機４５や画像モニターなどの比較的重量のある電子機器を収納することができる。テレビ受像機４５または画像モニターによって、ビデオ信号などにより送られた画像や受像した番組等を映し出すことができる。また、ここで、内側枠部材１５ｂの開口部の表面に意匠性を付与したりすることも可能となる。
【０１７１】
第１０の実施形態によれば、第１の実施形態と同様の効果を得ることができる。また、内側枠体１５ａ（内側枠部材１５ｂ）の内部に画像モニターやテレビ受像機４５等を収納したため、内側枠体１５ａ（内側枠部材１５ｂ）の開口部側に、画像を映し出すことができる。したがって、ＬＥＤ照明装置１ｉは、自動車後部座席などに取付けることで、車載用画像モニターまたは車載用テレビとして利用することができる。
【０１７２】
（第１１実施形態）
次に、第１１の実施形態について説明する。図１１（ａ）は、第１１の実施形態にかかるＬＥＤ照明装置１ｊを示す断面図である。上述した各実施形態では、ＬＥＤ光源１７が各ＬＥＤ照明装置の略中央に一つ配置された例を示したが、ＬＥＤ光源１７が複数個配置されてもよい。
【０１７３】
例えば、本実施形態では、内側反射板１５の中心近傍の裏面側には、内側反射板１５の中心を挟んで相互に近接して、２つのＬＥＤ光源１７が開口部１３から視認できない位置に、突出部７の頂点を挟んで対向するように配置される。したがって、それぞれのＬＥＤ光源１７からは、突出部７のそれぞれの傾斜面に向けて光を出射して、それぞれの傾斜面で光が長軸方向の端部に向けて反射される。
【０１７４】
第１１の実施形態によれば、第１の実施形態と同様の効果を得ることができる。このように、ＬＥＤ光源１７を複数個配置してもよい。
【０１７５】
（第１２実施形態）
次に、第１２の実施形態について説明する。図１１（ｂ）は、第１２の実施形態にかかる照明装置１ｋを示す断面図である。上述した各実施形態では、ＬＥＤ光源１７を用いたＬＥＤ照明装置について説明したが、ＬＥＤ光源１７に代えて、電球１７ａを用いてもよい。
【０１７６】
この場合には、電球１７ａが突出部７と対向するように、内側反射板１５の略中央の裏面側に配置される。電球１７ａから出射した光の一部が、突出部７の傾斜面で反射して、それぞれの傾斜面で光が長軸方向の端部に向けて導光される。
【０１７７】
第１２の実施形態によれば、第１の実施形態と同様の効果を得ることができる。このように、ＬＥＤ光源１７ではなく電球１７ａを用いた照明装置にも適用可能である。
【０１７８】
なお、本発明の光反射板とこれを用いた照明装置の開口部の輝度に関する詳細設計は、レイトレーシング法などの数学的手段により、確認検証することができる。これらの数学的手段を用いて、より詳細な光反射板やこれを用いた照明装置の設計が可能になる。
【０１７９】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【０１８０】
例えば、前述した各実施形態はそれぞれ互いに組み合わせることができることは言うまでもない。
【符号の説明】
【０１８１】
１、１ａ、１ｂ、１ｃ、１ｄ、１ｅ、１ｆ、１ｇ、１ｈ、１ｉ、１ｊ………ＬＥＤ照明装置
１ｋ………照明装置
３………外側枠体
５………光反射板
７………突出部
９、９ａ、９ｂ………底面部
１１、１１ａ、１１ｂ………側壁部
１３、１３ａ………開口部
１５………内側反射板
１５ａ………内側枠体
１５ｂ………内側枠部材
１７………ＬＥＤ光源
１７ａ………電球
１９………導光空間
２１………光取り出し部
２３………曲線部
２５………フランジ部
２７………光透過部材
２９、２９ａ………傾斜部
３１………膨出部
３３………柱部
３５………収納空間
３５ａ………収納ケース
３７………蓋部材
３９………スイッチ
４１………制御部
４５………テレビ受像機
１００………ＬＥＤ照明装置
１０３………外側枠体
１０９………底面部
１１１………側壁部
１１３………開口部
１１５………内側反射板
１１７………ＬＥＤ光源
１１９………導光空間
１２７………光透過部材
【図１】
2018151458.tif 000003
【図２】
2018151458.tif 000004
【図３】
2018151458.tif 000005
【図４】
2018151458.tif 000006
【図５】
2018151458.tif 000007
【図６】
2018151458.tif 000008
【図７】
2018151458.tif 000009
【図８】
2018151458.tif 000010
【図９】
2018151458.tif 000011
【図１０】
2018151458.tif 000012
【図１１】
2018151458.tif 000013
【図１２】
2018151458.tif 000014